(57)【要約】      （修正有）【課題】簡単な構成からなる流路切替手段により、流入口を各流出口のうちの少なくとも１つの流出口へ連通させることのできる蛇口用連結具を提供する。【解決手段】前記連結具本体の内部において前記流入口２０と、前記第１の流出口３０、前記第２の流出口４０、および前記第３の流出口５０のそれぞれと連結する第１の流出経路３０、第２の流出経路４０、第３の流出経路５０のうち少なくとも１つの流出経路とを連通させる流路切替手段と、前記第１の流出口３０に備えられ前記第１の流出口に導かれた水を複数の形態のうち選択された１つの形態で吐出する吐出手段７０と、を備え、前記流路切替手段は、前記連結具本体に取り付けられる操作部と、前記操作部から延在し、前記流入口からの水を前記第１の流出経路、前記第２の流出経路、前記第３の流出経路のうちの少なくとも１つに導く貫通孔が形成される軸体部６２と、からなる。【選択図】図２
0003183975.tif 000002
【実用新案登録請求の範囲】
【請求項１】
蛇口に取り付けられる蛇口用連結具であって、
水の流入口を上部に、水の第１の流出口を下部に、水の第２の流出口、および水の第３の流出口を他の箇所に有する連結具本体と、
前記連結具本体の前記流入口の周囲に固定され前記蛇口に接続される口金と、
前記連結具本体の内部において前記流入口と、前記第１の流出口、前記第２の流出口、および前記第３の流出口のそれぞれと連結する第１の流出経路、第２の流出経路、および第３の流出経路のうちの少なくとも１つの流出経路とを連通させる流路切替手段と、
前記第１の流出口に備えられ前記第１の流出口に導かれた水を複数の形態のうち選択された１つの形態で吐出する吐出手段と、を備え、
前記流路切替手段は、前記連結具本体に取り付けられる操作部と、前記操作部から延在し、前記流入口からの水を前記第１の流出経路、前記第２の流出経路、前記第３の流出経路のうちの少なくとも１つに導く貫通孔が形成される軸体部と、からなることを特徴とする蛇口用連結具。
【請求項２】
前記操作部の回転によって、
前記流入口が前記第１の流出口と連通され前記第２の流出口および前記第３の流出口と遮断がなされる第１の態様と、
前記流入口が前記第２の流出口と連通され前記第１の流出口および前記第３の流出口と遮断がなされる第２の態様と、
前記流入口が前記第３の流出口と連通され前記第１の流出口および前記２の流出口と遮断がなされる第３の態様と、
前記流入口が前記第２の流出口および第３の流出口と連通され前記第１の流出口と遮断がなされる第４の態様と、
をとることを特徴とする請求項１に記載の蛇口用連結具。
【請求項３】
前記第２の流出口は、前記連結具本体の第１の側部に設けられ、ホースに接続され得ることを特徴とする請求項１又は２に記載の蛇口用連結具。
【請求項４】
前記第３の流出口は、前記連結具本体の前記第１の側部と反対側の第２の側部に設けられ、ホースに接続され得ることを特徴とする請求項３に記載の蛇口用連結具。
【請求項５】
前記吐出手段は吐出切替手段を有し、前記吐出切替手段によって前記１つの形態を選択することを特徴とする請求項１に記載の蛇口用連結具。
【考案の詳細な説明】
【技術分野】
【０００１】
本考案は蛇口用連結具に係り、特に、蛇口に連通する流入口と、複数の流出口とを有する蛇口用連結具に関する。
【背景技術】
【０００２】
この種の蛇口用連結具としては、たとえば、下記特許文献１に開示されたものが知られている。
【０００３】
下記特許文献１に示す蛇口用連結具は、水の流入口とともに、２つの水の流出口を有し、該流入口といずれかの流出口とを選択的に連通させる流路切替手段と、一方の流出口に水の形態を切り替える吐出切替手段と、を備えた構成となっている。
【０００４】
このように構成された蛇口用連結具は、１つの流入口に対して２つの流出口を選択的に使用でき、流出口からの水の吐出形態を用途に応じて変更できるようになっている。
【先行技術文献】
【特許文献】
【０００５】
【特許文献１】実用新案登録第３１７２６４３号
【考案の概要】
【考案が解決しようとする課題】
【０００６】
しかし、上述した蛇口用連結具は、水の流出口が２つからなり、それらのいずれかを選択させるものであり、これにともない、流路切替手段も各流出口に設けられた各弁座の間を移動できる弁体（球体）を移動させる機構として構成したものである。
【０００７】
このため、水の流出口を３つにし、それらの各流出口のうちの少なくとも１つの流出口を流入口に連通させることによって、蛇口用連結具の用途を多様化するにしても、流路切替手段が極めて煩雑な構成となることを免れない。
【０００８】
本考案は、このような事情に鑑みてなされたものであり、その目的は、水の流出口が３つからなるにも拘わらず、簡単な構成からなる流路切替手段によって、流入口を各流出口のうちの少なくとも１つの流出口へ連通させることのできる蛇口用連結具を提供することにある。
【課題を解決するための手段】
【０００９】
本考案は、以下の構成によって把握される。
（１）本考案の蛇口用連結具は、蛇口に取り付けられる蛇口用連結具であって、水の流入口を上部に、水の第１の流出口を下部に、水の第２の流出口、および水の第３の流出口を他の箇所に有する連結具本体と、前記連結具本体の前記流入口の周囲に固定され前記蛇口に接続される口金と、前記連結具本体の内部において前記流入口と、前記第１の流出口、前記第２の流出口、および前記第３の流出口のそれぞれと連結する第１の流出経路、第２の流出経路、および第３の流出経路のうちの少なくとも１つの流出経路とを連通させる流路切替手段と、前記第１の流出口に備えられ前記第１の流出口に導かれた水を複数の形態のうち選択された１つの形態で吐出する吐出手段と、を備え、前記流路切替手段は、前記連結具本体に取り付けられる操作部と、前記操作部から延在し、前記流入口からの水を前記第１の流出経路、前記第２の流出経路、前記第３の流出経路のうちの少なくとも１つに導く貫通孔が形成される軸体部と、からなることを特徴とする。
（２）本考案の蛇口用連結具は、（１）の構成において、前記操作部の回転によって、前記流入口が前記第１の流出口と連通され前記第２の流出口および前記第３の流出口と遮断がなされる第１の態様と、前記流入口が前記第２の流出口と連通され前記第１の流出口および前記第３の流出口と遮断がなされる第２の態様と、前記流入口が前記第３の流出口と連通され前記第１の流出口および前記２の流出口と遮断がなされる第３の態様と、
前記流入口が前記第２の流出口および第３の流出口と連通され前記第１の流出口と遮断がなされる第４の態様と、をとることを特徴とする。
（３）本考案の蛇口用連結具は、（１）又は（２）の構成において、前記第２の流出口は、前記連結具本体の第１の側部に設けられ、ホースに接続され得ることを特徴とする蛇口用連結具。
（４）本考案の蛇口用連結具は、（３）の構成において、前記第３の流出口は、前記連結具本体の前記第１の側部と反対側の第２の側部に設けられ、ホースに接続され得ることを特徴とする。
（５）本考案の蛇口用連結具は、（１）の構成において、前記吐出手段は吐出切替手段を有し、前記吐出切替手段によって前記１つの形態を選択することを特徴とする。
【考案の効果】
【００１０】
本考案による蛇口用連結具によれば、水の流出口が３つからなるにも拘わらず、簡単な構成からなる流路切替手段によって、流入口を各流出口のうちの少なくとも１つの流出口へ連通させることができるようになる。
【図面の簡単な説明】
【００１１】
【図１】本考案の蛇口用連結具の外観を示す斜視図である。
【図２】本考案の蛇口用連結具の断面図で、ストレート吐出用流路を経て水が吐出されている態様を示す図である。
【図３】本考案の蛇口用連結具の操作部に設けられた軸体部を示す透視図である。
【図４】本考案の蛇口用連結具の断面図で、シャワー吐出用流路を経て水が吐出されている態様を示す図である。
【図５】本考案の蛇口用連結具の流入口と各流出口との連結における各態様を示す図である。
【図６】本考案の蛇口用連結具の実施形態２に内蔵される流体分岐部の構成図である。
【図７】流体分岐部の収納室を裏面側から観た図である。
【図８】流体分岐部を右側部から観た斜視図である。
【図９】流体分岐部の円筒体の回転方向の位置の切替えに応じた水の経路を示す説明図である。
【考案を実施するための形態】
【００１２】
以下、添付図面を参照して、本考案を実施するための形態（以下、実施形態）について詳細に説明する。なお、実施形態の説明の全体を通して同じ要素には同じ番号を付している。
（実施形態１）
図１は、本考案の蛇口用連結具の実施形態１の外観を示す斜視図である。
【００１３】
図１において、蛇口用連結具１０は、その上部に水の流入口２０、下部に水の第１の流出口３０、側部に水の第２の流出口４０および水の第３の流出口５０を備えている。第２の流出口４０は連結具本体１０の第１の側部Ｓ１に設けられ、第３の流出口５０は連結具本体１５の前記第１の側部Ｓ１と反対側の第２の側部Ｓ２に設けられている。また、第２の流出口４０および第２の流出口５０にはホース（図示せず）に接続され得るように構成されている。なお、流入口２０の周囲には水道の蛇口に接続される口金２１が設けられている。
【００１４】
また、連結具本体１５の第１の側部Ｓ１および第２の側部Ｓ２の間の一方の第３の側部Ｓ３に操作部６０が取り付けられている。この操作部６０は、流入口２０からの水を、第１の流出口３０、あるいは第２の流出口４０および第３の流出口５０へ導くように操作できるようになっている。
【００１５】
操作部６０は、回転可能（図中矢印α方向）な円盤状のつまみからなり、その軸方向に一体に延在する軸体部６２（図示せず）が連結具本体１５内に回転可能に支持されることによって構成されている。
【００１６】
図３は、連結具本体１５を透過させて軸体部６２を示した透視図である。軸体部６２には貫通孔６４が設けられ、該貫通孔６４は、軸体部６２の軸周りの回転によって、流入口２０からの水を第１の流出口３０、あるいは第２の流出口４０および水の第３の流出口５０へ導く流路を形成するようになっている。これにより、この明細書では、軸体部６２および該軸体部６２を操作する操作部６０を、この明細書では、流路切替手段と称する場合がある。
【００１７】
さらに、第１の流出部３０には、流入口２０からの水を下方に吐出させる吐出手段７０が備えられ、この吐出手段７０には吐出切替手段７２を有している。吐出切替手段７２は、第１の流出口３０に対して該第１の流出口３０の中心軸の回り（図中矢印β方向）に回転できるようになっており、これにより、該吐出手段７０からは水がストレート状あるいはシャワー状に吐出できるようになっている。
【００１８】
図２は、図１のII−II線における断面を示す図である。
【００１９】
図２において、蛇口用連結具１０のほぼ中央には軸体部６２が配置されている。この軸体部６２は操作部６０（図１参照）の回転操作にともなって図中矢印α方向に回転可能に軸支されている。
【００２０】
軸体部６２は、その断面を横切る第１の貫通孔６４Ａと、第１の貫通孔６４Ａと交わる第２の貫通孔６４ＢとからなるほぼＴ字形状をなす貫通孔６４が形成されている。
【００２１】
水の流入口２０に形成される口金２１は、流入口２０に連なる流入路２５の周壁に嵌合する基部２２と、基部２２の外周に固定される締結部２３と、締結部２３と基部２２との間に設けられる弾性体２４とで構成されている。流入路２５は、該流入口２０から軸体部６２の周側面の一部を露呈させるように連通して形成されている。
【００２２】
第２の流出口４０には、該流出口４０から軸体部６２の周側面の一部を露呈させるように連通する第２の流出経路４１が形成されている。同様に、第３の流出口５０には、該流出口５０から軸体部６２の周側面の一部を露呈させるように連通する第３の流出経路５１が形成されている。第２の流出経路４１と第３の流出経路５１は、該軸体部６２を間にして同一直線上に配置されるようになっている。
【００２３】
また、連結具本体１５内には、第１の流出口３０の側に連通される第１の流出経路３１が軸体部６２の周側面の一部を露出させるように形成されている。
【００２４】
ここで、操作部６０の操作に伴う軸体部６２の回転によって、流入口２０からの水の経路の各態様（第１の態様、第２の態様、第３の態様）について説明する。
【００２５】
図５（ａ）は、第１の態様を示し、流入口２０は、軸体部６２の第１の貫通孔６４Ａと接続され該第１の貫通孔６４Ａを通して、第１の流出経路３１と連通され、第２の流出経路４１および第３の流出経路５１との遮断がなされるようになっている。
【００２６】
この第１の態様では、流入口２０からの水を第１の流出口３０（図２参照）に導くようにでき、該水を後述する吐出手段７０を介して水をストレート状あるいはシャワー状に吐出させるようになっている。
【００２７】
なお、図５（ａ）に示す軸体部６２における第１の貫通孔６４Ａと第２の貫通孔６４Ｂの配置は、図２に示す軸体部６２におけるそれと同様となっている。
【００２８】
図５（ｂ）は、第２の態様を示し、流入口２０は、第２の貫通孔６４Ｂと接続され該第２の貫通孔６４Ｂおよび第１の貫通孔６４Ａを通して、第２の流出経路４１および第３の流出経路５１と連通され、前記第１の流出経路３１との遮断がなされるようになっている。
【００２９】
この第２の態様では、流入口２０（図２参照）からの水を第２の流出口４０（図２参照）および第３の流出口５０（図２参照）に導くようにでき、たとえば、第２の流出口および第３の流出口に取り付けられホース等によって散水ができるようになっている。
【００３０】
図５（ｃ）は、第３の態様を示し、流入口２０は、第１の貫通孔６４Ａおよび第２の貫通孔６４Ｂのいずれも接続されず、第１の流出経路３１、第２の流出経路４１、および第３の流出経路５１との遮断がなされるようになっている。
【００３１】
図２に戻り、第１の流出口３０には、前記第１の流出経路３１に連通され、水を複数の形態のうち選択された１つの形態で吐出する吐出手段７０が形成されている。
【００３２】
吐出手段７０は、第１の流出口３０の中心軸の周り（図中矢印β方向）に回転できる吐出切替手段７２を備え、該吐出切替手段７２の回転によって、ストレート吐出用流路７４とシャワー吐出用流路７６のいずれかを通して水を吐出させることができるようになっている。
【００３３】
すなわち、吐出切替手段７２には、水の吐出面の中央に形成されたストレート吐出孔７４Ａから第１の流出口の中心軸に対して傾斜して延在され、該吐出切替手段７２の所定位置の回動によって第１の流出経路３１に連通され得るストレート吐出用流路７４が形成されている。
【００３４】
図２では、ストレート吐出用流路７４が第１の流出経路３１と連通するように吐出切替手段７２が所定位置に回動されていることを示している。この場合、シャワー吐出用流路７６は第１の流出経路３１との連通が解除されるようになっている。
【００３５】
また、吐出切替手段７２には、図４に示すように、前記ストレート吐出孔７４Ａの周囲を囲むように形成されたシャワー吐出孔７６Ａから延在され、該吐出切替手段７２の所定位置の回動によって第１の流出経路３１に連通され得るシャワー吐出用流路７６が形成されている。
【００３６】
図４では、シャワー吐出用流路７６が第１の流出経路３１と連通するように吐出切替手段７２が所定位置に回動されていることを示している。この場合、ストレート吐出用流路７４は第１の流出経路３１との連通が解除されるようになっている。
【００３７】
このように構成された蛇口用連結具によれば、水の流出口が３つからなるにも拘わらず、簡単な構成からなる流路切替手段によって、流入口を各流出口のうちの少なくとも１つの流出口へ連通させることができるようになる。
（実施形態２）
上述した実施形態１では、軸体部６２に形成する貫通孔６４として、断面を横切る第１の貫通孔６４Ａと、第１の貫通孔６４Ａと交わる第２の貫通孔６４ＢとからなるほぼＴ字形状をなす構成としたものである。しかし、このような形状に限定されることはなく、他の形状としてもよく、これにより、流入口２０が、たとえば、第２の流出経路４１および第３の流出経路５１のうちのいずれか一方に選択的に連通させるような構成とするようにしてもよいことはいうまでもない。
【００３８】
（実施形態３）
図６、図７は、本考案の蛇口用連結具の実施形態２の構成を示す図である。
図６は、図１に示した蛇口用連結具１０に内蔵される流体分岐部(この明細書において流路切替手段と称する場合がある)８０である。流体分岐部８０は、その上部８０Ａが水の流入口２０（図１参照）に、下部８０Ｂが水の第１の流出口３０（図１参照）に、図中左側部８０Ｃが水の第２の流出口４０（図１参照）に、図中右側部８０Ｄが水の第３の流出口５０（図１参照）に連通されるように配置されるようになっている。
また、流体分岐部８０の図中前方には、円筒体（この明細書において軸体部と称する場合がある）９０がその軸方向に沿って挿入される収納室８１が形成されている。収納室８１は、円筒体９０の外径より若干大きな内径を有する円筒形状をなし、その奥行には有底面となる壁８２が形成されている。この壁８２には、３個の貫通孔８３Ａ、８３Ｂ、８３Ｃが形成されている。貫通孔８３Ａ、８３Ｂは水平方向に隣接して配置され、貫通孔８３Ｃは貫通孔８３Ａ、８３Ｂの間の下方に比較的大きな距離を有して配置されている。
なお、収納室８１の壁８２の背面には、図７に示すように、貫通孔８３Ａの周辺の領域、貫通孔８３Ｂの周辺の領域、貫通孔８３Ｃの周辺の領域を、それぞれ画する区画壁８５が形成されている。これにより、貫通孔８３Ａを通して壁８３の背面に流れる水は第２の流出口４０（図１参照）側のみに導かれ、貫通孔８３Ｂを通して壁８３の背面に流れる水は第３の流出口５０（図１参照）側のみに導かれ、貫通孔８３Ｃを通して壁８３の背面に流れる水は第１の流出口３０側のみに導かれるようになっている。
図８は、流体分岐部８０を右側部８０Ｄから観た斜視図である。図８から明らかとなるように、収納室８１の貫通孔８３Ｂを通して壁８２の裏側に導かれる水は、間隙８７を介して、右側部８０Ｄ、および第３の流出口５０（図１参照）へ供給されるようになっている。また、図示していないが、収納室８１の貫通孔８３Ａを通して壁８２の裏側に導かれる水は、前記間隙８７と同様の他の間隙を介して、左側部８０Ｃ、および第２の流出口４０（図１参照）へ供給され、収納室８１の貫通孔８３Ｃを通して壁８２の裏側に導かれる水は、前記間隙８７と同様の他の間隙を介して、下側部８０Ｂ、および第１の流出口３０（図１参照）へ供給されるようになっている。
【００３９】
図６に戻り、円筒体９０は、その図中の前方の一端が操作部（図１参照）６０に接続されるようになっている。これにより、円筒体９０は操作部６０の回転にともなって、収納室８１内で回転するようになっている。
円筒体９０は、操作部６０の操作によって回転方向に９０°の間隔で位置を切替えできるようなっている。
円筒体９０の側面には、蛇口からの水を円筒体９０内に導くための流路口が設けられ、該円筒体９０の回転位置の切替えに応じ、円周方向に沿って４個の流路口９１Ａ、９１Ｂ、９１Ｃ、９１Ｄが等間隔で形成されている。
また円筒体９０の奥行には有底面となる壁９２が形成され、この壁９２には３個の貫通孔９３Ａ、９３Ｂ、９３Ｃが形成されている。貫通孔９３Ａ、９３Ｂは水平方向に隣接して配置され、貫通孔９３Ｃは貫通孔９３Ａ、９３Ｂの間の下方に比較的小さな距離を有して配置されている。
これら各貫通孔９３Ａ、９３Ｂ、９３Ｃは、円筒体９０の回転方向の位置の切替えによって、そのうちの１個、あるいは２個が、収納室８１の壁８２に形成された貫通孔８３Ａ、８３Ｂ、８３Ｃのうち所定の孔と同軸に対向するようになっている。これにより、流体分岐部８０の上部８０Ａから流入される蛇口からの水は、円筒体９０の流路口９１Ａ、９１Ｂ、９１Ｃ、９１Ｄの一つを介して、同軸に配置された円筒体９０の壁９２の貫通孔（９３Ａ、９３Ｂ、９３Ｃ）と収納室８１の壁８２の貫通孔（８３Ａ、８３Ｂ、８３Ｃ）を通して、流体分岐部８０の下部８０Ｂ、左側部８０Ｃ、右側部８０Ｄのうちの何れかに導かれるようになっている。
【００４０】
以下、図９（ａ）ないし（ｄ）を用いて、円筒体９０の回転方向の位置の切替え（操作部６０（図１参照）の操作）に応じた流体分岐部８０内の水の経路を説明する。
なお、図９（ａ）ないし（ｄ）において、それぞれ、左側は円筒体９０を操作部６０（図１参照）側から観た図、中央は流体分岐部８０の収納室８１の壁８２を操作部６０（図１参照）側から観た図、右側は流体分岐部８０の収納室８１の壁８２を操作部６０（図１参照）と反対側から観た図を示している。
【００４１】
まず、図９（ａ）に示すように、円筒体９０を、その貫通孔９３Ａ、９３Ｂ、９３Ｃが図中上方にくるように位置付けることにより、該貫通孔９３Ａ、９３Ｂと、流体分岐部８０の収納室８１の貫通孔８３Ａ、８３Ｂが同軸配置されるようになる。これにより、流体分岐部８０の上部８０Ａから流入される水は、貫通孔９３Ａ、貫通孔８３Ａを通して第２の流出口４０に流出され、貫通孔９３Ｂ、貫通孔８３Ｂを通して第３の流出口５０に流出されるようになる。
次に、図９（ｂ）に示すように、円筒体９０を図中反時計方向に９０°回転させるように位置付けることにより、円筒体９０の貫通孔９３Ｂと、流体分岐部８０の収納室８１の貫通孔８３Ａが同軸配置されるようになる。これにより、流体分岐部８０の上部８０Ａから流入される水は、貫通孔９３Ｂ、貫通孔８３Ａを通して、第２の流出口４０に流出されるようになる。
次に、図９（ｃ）に示すように、円筒体９０を図中反時計方向にさらに９０°回転させるように位置付けることにより、円筒体９０の貫通孔９３Ｃと、流体分岐部８０の収納室８１の貫通孔８３Ｃが同軸配置されるようになる。これにより、流体分岐部８０の上部８０Ａから流入される水は、貫通孔９３Ｃ、貫通孔８３Ｃを通して、第１の流出口３０に流出されるようになる。
そして、図９（ｄ）に示すように、円筒体９０を図中反時計方向にさらに９０°回転させるように位置付けることにより、円筒体９０の貫通孔９３Ａと、流体分岐部８０の収納室８１の貫通孔８３Ｂが同軸配置されるようになる。これにより、流体分岐部８０の上部８０Ａから流入される水は、貫通孔９３Ａ、貫通孔８３Ｂを通して、第３の流出口５０に流出されるようになる。
【００４２】
このように構成した蛇口用連結具によれば、蛇口に対して３つの流出口を有するにも拘わらず、操作部６０の４段階の切替えによって、４つの流出態様を実現することができるようになる。
以上、実施形態を用いて本考案を説明したが、本考案の技術的範囲は上記実施形態に記載の範囲には限定されないことは言うまでもない。上記実施形態に、多様な変更または改良を加えることが可能であることが当業者に明らかである。また、その様な変更または改良を加えた形態も本考案の技術的範囲に含まれ得ることが、実用新案登録請求の範囲の記載から明らかである。
【符号の説明】
【００４３】
１０……蛇口用連結具、１５……連結具本体、２０……流入口、２１……口金、２２……基部、２３……締結部、２４……弾性体、２５……流入路、３０……第１の流出口、３１……第１の流出経路、４０……第２の流出口、４１……第２の流出経路、５０……第３の流出口、５１……第３の流出経路、６０……操作部、６２……軸体部、６４……貫通孔、６４Ａ……第１の貫通孔、６４Ｂ……第２の貫通孔、７０……吐出手段、７２……吐出切替手段、７４……ストレート吐出用流路、７４Ａ……ストレート吐出孔、７６……シャワー吐出用流路、７６Ａ……シャワー吐出孔、８０……流体分岐部（流路切替手段）、８１……収納室、８２……壁、８３Ａ、８３Ｂ、８３Ｃ……貫通孔、８７……間隙、９０……円筒体（軸体部）、９１Ａ、９１Ｂ、９１Ｃ、９１Ｄ……流路口、９２……壁、９３Ａ、９３Ｂ、９３Ｃ……貫通孔。
【図１】
0003183975.tif 000003
【図２】
0003183975.tif 000004
【図３】
0003183975.tif 000005
【図４】
0003183975.tif 000006
【図５】
0003183975.tif 000007
【図６】
0003183975.tif 000008
【図７】
0003183975.tif 000009
【図８】
0003183975.tif 000010
【図９】
0003183975.tif 000011